【事件の表示】
　特許第３２１６３６７号「液晶表示装置及びその駆動方法」の請求項１、２、５、６に係る特許に対する特許異議の申立てについて、次のとおり決定する。
【結　論】
　訂正を認める。
　特許第３２１６３６７号の請求項１、２、５、６に係る特許を維持する。
【理　由】
１．手続の経緯
　特許第３２１６３６７号の請求項１、２、５、６に係る発明についての出願は、平成５年１０月４日（優先権主張：平成５年８月２５日）の出願であって、平成１３年８月３日にその発明についての特許権の設定登録がされ、その後、その特許について、異議申立人セイコーエプソン株式会社により特許異議の申立てがなされ、取消の理由が通知され、その指定期間内である平成１４年８月３０日に訂正請求がなされたものである。
　
２．訂正の適否についての判断
(1) 訂正の内容
　特許権者が求めている訂正の内容は、以下ａ及びｂのとおりである。
・訂正事項a
　特許明細書の特許請求の範囲の
「【請求項1】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルに隣接して設けられ、補償用電極を有する補償用液晶パネルと、前記液晶表示パネルの電極に生じるスパイク波形を、前記補償用液晶表示パネルの補償用電極を駆動して相殺する補償用液晶パネル駆動部と、を備えたことを特徴とする液晶表示装置。
【請求項2】　複数のコモン電極とセグメント電極とをマトリクス状に配列した液晶表示パネルに階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられたダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を形成して前記ダミー用セグメント電極を駆動するダミー液晶パネル駆動部と、を備えたことを特徴とする液晶表示装置。
【請求項3】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしたことを特徴とする液晶表示装置。
【請求項4】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしたことを特徴とする液晶表示装置。
【請求項5】　前記補償用液晶パネル駆動部は、前記液晶表示パネル駆動部によるセグメント電極駆動により前記液晶表示パネルのコモン電極に生じるスパイク波形を、該補償用液晶表示パネル駆動部によるセグメント電極駆動により前記補償用液晶表示パネルの補償用コモン電極に生じるスパイク波形で相殺することを特徴とする請求項1、請求項3又は請求項4の何れかに記載の液晶表示装置。
【請求項6】　前記補償用液晶パネルのコモン電極は、非選択電位を常時印加するようにしたことを特徴とする請求項1、請求項3、請求項4又は請求項5の何れかに記載の液晶表示装置。
【請求項7】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたことを特徴とする液晶表示装置の駆動方法。
【請求項8】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺することを特徴とする液晶表示装置の駆動方法。
【請求項9】　液晶表示パネルを表示制御するセグメント駆動波形の立ち上がりと立ち下がり時に発生するスパイク波形と対応した補償用スパイク波形を同一タイミングで発生させて相殺することを特徴とする請求項7、請求項8又は請求項9の何れかに記載の液晶表示装置の駆動方法。」を、
「【請求項1】　複数のコモン電極とセグメント電極とをマトリクス状に配列した液晶表示パネルに多階調表示を行なう液晶表示装置において、前記液晶表示パネルのコモン電極とセグメント電極とを駆動して表示制御する液晶表示パネル駆動部と、前記液晶表示パネルに隣接して設けられ、該液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部と、を備えたことを特徴とする液晶表示装置。
【請求項2】　複数のコモン電極とセグメント電極とをマトリクス状に配列した液晶表示パネルに多階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部と、を備えたことを特徴とする液晶表示装置。
【請求項3】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしたことを特徴とする液晶表示装置。
【請求項4】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしたことを特徴とする液晶表示装置。
【請求項5】　前記補償用液晶パネル駆動部は、前記液晶表示パネル駆動部によるセグメント電極駆動により前記液晶表示パネルのコモン電極に生じるスパイク波形を、該補償用液晶パネル駆動部によるセグメント電極駆動により前記補償用液晶パネルの補償用コモン電極に生じるスパイク波形で相殺することを特徴とする請求項3又は請求項4の何れかに記載の液晶表示装置。
【請求項6】　前記補償用液晶パネルのコモン電極は、非選択電位を常時印加するようにしたことを特徴とする請求項3、請求項4又は請求項5の何れかに記載の液晶表示装置。
【請求項7】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたことを特徴とする液晶表示装置の駆動方法。
【請求項8】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺することを特徴とする液晶表示装置の駆動方法。
【請求項9】　液晶表示パネルを表示制御するセグメント駆動波形の立ち上がりと立ち下がり時に発生するスパイク波形と対応した補償用スパイク波形を同一タイミングで発生させて相殺することを特徴とする請求項7又は請求項8記載の液晶表示装置の駆動方法。」と訂正する。
・訂正事項b
　特許明細書の発明の詳細な説明の段落番号【００１４】〜【００２２】欄の
「請求項1記載の発明は、上記目的達成のため、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルに隣接して設けられ、補償用電極を有する補償用液晶パネルと、前記液晶表示パネルの電極に生じるスパイク波形を、前記補償用液晶表示パネルの補償用電極を駆動して相殺する補償用液晶パネル駆動部とを備えている。
【００１５】請求項2記載の発明は、複数のコモン電極とセグメント電極とをマトリクス状に配列した液晶表示パネルに階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられたダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を形成して前記ダミー用セグメント電極を駆動するダミー液晶パネル駆動部とを備えている。
【００１６】請求項3記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしている。
【００１７】請求項4記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしている。
【００１８】前記補償用液晶パネル駆動部は、例えば請求項5に記載されているように.前記液晶表示パネル駆動部によるセグメント電極駆動により前記液晶表示パネルのコモン電極に生じるスパイク波形を、該補償用液晶表示パネル駆動部によるセグメント電極駆動により前記補償用液晶表示パネルの補償用コモン電極に生じるスパイク波形で相殺するようにしてもよい。
【００１９】前記補償用液晶パネルのコモン電極は、例えば請求項6に記載されているように、非選択電位を常時印加するようにしてもよい。
【００２０】請求項7記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたものであってもよい。
【００２１】請求項8記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺するものであってもよい。
【００２２】また、請求項9に記載されているように、液晶表示パネルを表示制御するセグメント駆動波形の立ち上がりと立ち下がり時に発生するスパイク波形と対応した補償用スパイク波形を同一タイミングで発生させて相殺するようにしてもよい。」を、
「請求項1記載の発明は、上記目的達成のため、複数のコモン電極とセグメント電極とをマトリクス状に配列した液晶表示パネルに多選曲調表示を行なう液晶表示装置において、前記液晶表示パネルのコモン電極とセグメント電極とを駆動して表示制御する液晶表示パネル駆動部と、前記液晶表示パネルに隣接して設けられ、該液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部とを備えている。
【００１５】請求項2記載の発明は、複数のコモン電極とセグメント電極とをマトリクス状に配列した液晶表示パネルに多階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部とを備えている。
【００１６】請求項3記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしている。
【００１７】請求項4記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしている。
【００１８】前記補償用液晶パネル駆動部は、例えば請求項5に記載されているように、前記液晶表示パネル駆動部によるセグメント電極駆動により前記液晶表示パネルのコモン電極に生じるスパイク波形を、該補償用液晶パネル駆動部によるセグメント電極駆動により前記補償用液晶パネルの補償用コモン電極に生じるスパイク波形で相殺するようにしてもよい。
【００１９】前記補償用液晶パネルのコモン電極は、例えば請求項6に記載されているように、非選択電位を常時印加するようにしてもよい。
【００２０】請求項7記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたものであってもよい。
【００２１】請求項8記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺するものであってもよい。
【００２２】また、請求項9に記載されているように、液晶表示パネルを表示制御するセグメント駆動波形の立ち上がりと立ち下がり時に発生するスパイク波形と対応した補償用スパイク波形を同一タイミングで発生させて相殺するようにしてもよい。」と訂正する。
　
(2) 訂正の目的の適否、新規事項の有無、及び、特許請求の範囲の拡張・変更の存否
　上記の訂正事項aについては、特許明細書の特許請求の範囲の第１、２、５、６、９項を訂正するものである。
　そのうち、第１項については、特許明細書の特許請求の範囲第１項に記載された「液晶表示装置」が「多階調表示」を行うことを限定し、「補償用電極」を「該液晶表示パネルに表示可能な階調数と同数で且つ各階調別に設けられた複数の補償用電極」と限定し、「補償用電極を駆動して」を「複数の補償用電極を各階調別に駆動して」と限定した上で、「補償用液晶表示パネル」を「補償用液晶パネル」と訂正するものである。これらの限定は、特許明細書の段落番号【００４９】欄の記載を根拠とするものであり、特許請求の範囲の減縮を目的とするものである。また、「補償用液晶表示パネル」から「補償用液晶パネル」への訂正は、誤記の訂正または明瞭でない記載の釈明を目的とするものである。
　第２項については、特許明細書の特許請求の範囲第２項に記載された「液晶表示装置」が「多階調表示」を行うことを限定し、「ダミー用セグメント電極」を「前記液晶表示パネルに表示可能な階調数と同数で且つ各階調別に設けられた複数のダミー用セグメント電極」と限定し、「ダミー用セグメント電極駆動信号を形成して前記ダミー用セグメント電極を駆動する」を「ダミー用セグメント電極駆動信号を各階調別に形成して前記複数のダミー用セグメント電極を駆動する」と限定するものである。これらの限定は、特許明細書の段落番号【００４９】欄の記載を根拠とするものであり、特許請求の範囲の減縮を目的とするものである。
　第５項については、第１項の引用を除いた上で、「補償用液晶表示パネル駆動部」を「補償用液晶パネル駆動部」と、「補償用液晶表示パネル」を「補償用液晶パネル」と訂正するものであり、これらの訂正は、誤記の訂正または明瞭でない記載の釈明を目的とするものである。
　第６項については、第１項の引用を除くものであり、誤記の訂正または明瞭でない記載の釈明を目的とするものである。
　第９項については、第９項の引用を除くものであり、誤記の訂正または明瞭でない記載の釈明を目的とするものである。
　よって、訂正事項ａは、新規事項の追加に該当せず、実質的に特許請求の範囲を拡張又は変更するものではない。
　上記訂正事項bについては、特許請求の範囲と発明の詳細な説明との整合をとるためのものであり、誤記の訂正または明瞭でない記載の釈明を目的とするものであって、新規事項の追加に該当せず、実質的に特許請求の範囲を拡張又は変更するものではない。
　
(3) むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立て
(1) 申立ての理由の概要
　申立人は、下記の甲第１及び２号証を提出し、特許第３２１６３６７号の訂正前の請求項１に係る発明は、甲第１号証に記載された発明であるか、甲第１号証記載の発明に基づいて、当業者が容易に発明をすることができたものであり、同じく請求項２に係る発明は、甲第１及び２号証記載の発明に基づいて、当業者が容易に発明をすることができたものであるから、特許法第２９条第１項第３号または第２項の規定により、特許を受けることができない発明であって、また、同じく請求項１，５，６に係る発明は、その明細書が特許法第３６条第５項第２号に規定する要件を満たしていないので、これら発明に係る特許は取り消されるべきものである旨主張している。
　
　甲第１号証：特開昭５９−１９３４８９号公報（以下、「刊行物１」という。）
　甲第２号証：特開平３−２８２２号公報（以下、「刊行物２」という。）
　
(2) 本件発明
　上記２．で示したように訂正が認められるから、本件の請求項１、２、５、６に係る発明は、平成１４年８月３０日付けの訂正請求書により訂正された特許請求の範囲の請求項１、２、５、６に記載された次のとおりのものが、異議申立の対象となる。
「【請求項1】　複数のコモン電極とセグメント電極とをマトリクス状に配列した液晶表示パネルに多階調表示を行なう液晶表示装置において、前記液晶表示パネルのコモン電極とセグメント電極とを駆動して表示制御する液晶表示パネル駆動部と、前記液晶表示パネルに隣接して設けられ、該液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部と、を備えたことを特徴とする液晶表示装置。
【請求項2】　複数のコモン電極とセグメント電極とをマトリクス状に配列した液晶表示パネルに多階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部と、を備えたことを特徴とする液晶表示装置。」
「【請求項5】　前記補償用液晶パネル駆動部は、前記液晶表示パネル駆動部によるセグメント電極駆動により前記液晶表示パネルのコモン電極に生じるスパイク波形を、該補償用液晶パネル駆動部によるセグメント電極駆動により前記補償用液晶パネルの補償用コモン電極に生じるスパイク波形で相殺することを特徴とする請求項3又は請求項4の何れかに記載の液晶表示装置。
【請求項6】　前記補償用液晶パネルのコモン電極は、非選択電位を常時印加するようにしたことを特徴とする請求項3、請求項4又は請求項5の何れかに記載の液晶表示装置。」（以下、それぞれ「本件発明１」、「本件発明２」、「本件発明５」、「本件発明６」という。）
　
(3) 引用刊行物に記載された発明
　申立人が提出した刊行物１には、
「本発明の課題は渦流可視作用を除去することにある。この目的のために、本発明は、各行の代数和が常にゼロであるように、各行に電荷を供給するのに役立つ少なくとも１つの補償電極を列電極系に付加することを提案する。選択されない行の各１２に沿って通過する電流はそこで各スイッチング操作において、すなわちＴ／２の多数の時間においてゼロになり、その結果その電圧は同様にゼロになる。
　詳言すれば、本発明は、光学的特性を変化できる材料を組み込んでおり、該材料が第１群のｐ行の平行電極と第２群のｑ列の平行電極との間に挿入され、前記行および列は互いに交差し、前記材料の区域Ｘｉｊはｉが１≦ｉ≦ｐであるような整数である行ｉによってかつｊが１≦ｊ≦ｑであるような整数である列ｊによって覆われる前記材料の領域によって画成され、前記行および列がその光学的特性を変化するに適する材料の励起を引き起こす電気的信号を支持するのに使用され、また前記第１群の電極のすべての電極に交差しかつ誘電体によってそれから分離されそして前記第２群の電極に対して平行である少なくとも１つの補償電極によって構成される行および列間の結合を補償するための装置および行電極上の電荷の代数和が常にゼロであるように電荷が各行電極に現れるように前記補償電極を適当な電圧に上昇する手段からなることを特徴とする電気的に制御されるマトリクスディスプレイに関する。
　好適な実施例によれば、結合補償装置は第２群の電極のｑ電極の両側に配置された２つの補償電極からなる。」（３頁右上欄７行〜左下欄１７行）、及び、
「第３図は列電極（コラム電極）２０ａ、２０ｂ、ならびに補償電極２２、２４を、アースに接続された選択されない行電極（ロウ電極）１８ととも示す。明瞭化のために、第１図におけるように、列電極２０に印加される電極は図示してない選択された行電極２０に印加される電圧方形波の位相または反対の位相にあると仮定される。その結果として、与えられた時間において、それらは或る列電極２０ａに電圧＋Ｖおよび反対位相の電圧、すなわち他の或る列電極２０ｂに電圧−Ｖを有する。印加された電圧は周期Ｔの周期的電圧である。例えば０とＴ／２との間の期間Ｔ／２に関して、各列に印加された信号はしたがって一定のサインを有する。この電圧のサインはＴ／２において逆転される。より一般的な言葉において、この電圧はＴ／２によって分離される時間間隔で周期的に逆転される。非限定的例として、第３図に示したマトリクスディスプレイは９個の電極列からなる。これらの電極の各々は、図示のごとく、電圧＋Ｖまたは−Ｖを条件としている。電荷はアースに接続された行電極１８とこれらの各列電極の交差に現われる。正電圧＋Ｖを受ける列電極２０ａに電荷−Ｑが現われそして行電１８上の電荷＋Ｑが向い合う。これらの電荷は区域ＸｉＹｊに集中される。行電極１８に現れる電荷の合計はゼロでない。行電極１８に現れる電荷の代数和が、サイン内で、列電極２０ａおよび２０ｂに印加される電圧の代数和に比例することを理解することは容易である。図の場合において、電荷の合計は５Ｑに等しい。したがって行電極１８に存する電荷の代数和を取り消した−５Ｑを供給するために、列電極２０ａ、２０ｂに印加された電圧の代数和に比例する電圧を補償電極２２および２４に印可するのに充当する。」（４頁右上欄３行〜左下欄１５行）と記載され、
図３には、第１群の電極１８及び第２群の電極２０が交差したマトリクスディスプレイが示されている。
　また、同じく刊行物２には、
「従来の駆動波形を液晶電気光学素子に印加した場合、第７図（ａ）の７０３で示す走査電極上の任意の点の電圧波形をみると、７０８で示すような電圧波形となり、７０６の信号電極波形が立ち上がり、あるいは、立ち下がりするたびに、７０９で示すようなスパイクが発生してしまうという課題があった。
〔課題を解決するための手段〕
　本発明の液晶電気光学素子の駆動方法は、信号電極に印加する電圧パルスの立ち上がり（あるいは、立ち下がり）のときの影響により、走査電極に印加される波形の電位が変動するのを補正するために、走査電極に印加する波形の電位の変動方向と逆方向に補正電圧パルスを印加することを特徴とする。
　また、各階調データごとにアナログ的に積分回路で積分することによって一走査分のデータでのＯＮデータの数を計数し、その量によって補正電圧パルス大きさを制御し、ＯＮ電圧パルスの印加開始の波形の立ち上がり（あるいは、立ち下がり）の発生するタイミングとほぼ同時に補正電圧パルスを発生し、ＯＮ電圧パルスの印加終了時の波形の立ち上がり、あるいは、立ち下がりの時は、補正電圧パルスを発生しないことを特徴とする。」（２頁左上欄１１行〜右上欄１４行）、及び、
「第１図は実施例１に於ける液晶駆動電圧発生回路の一例を示す図である。第１図のＶ０とＶ５が走査電極波形の選択電圧で、Ｖ０、Ｖ２、Ｖ３、Ｖ５が信号電極波形の電圧である。そして、Ｖ１とＶ４が走査電極波形の非選択電圧レベルで、この電圧レベルに補正電圧パルスを加えてＶａとＶｂの走査電極非選択電圧をつくっている。
　第１図の１０１が表示データで、Ｄ０、Ｄ１、Ｄ２、Ｄ３の４ビットのデータによって１６階調を表わし、Ｄ０が最下位ヒットでＤ３が最上位ビットである。この表示データ１０１をデコーダ１１２に入力して１〜１５の各階調データに分け、この階調データをそれぞれの積分回路１０４で一走査線分のデータを積分し、各階調データごとにそれぞれ一走査線分のデータを積分終了後、ホールド信号１０３によって保持回路１０５に積分結果の電圧を保持し、その後リセット信号１０２によって積分回路をリセットし、次の走査線のデータの積分を始める。この積分値は表示データのＯＮデータの数が少なければ電圧が低く、多ければ電圧が高くなり、この値はＯＮデータの数にほぼ比例するように設定している。そして、各階調データごとに保持回路１０５に保持した電圧に対応した走査電極が選択され、各階調のＯＮ波形の立ち上がり（あるいは立ち下がり）のタイミングとほぼ同時に各補正パルス開始信号によって保持回路１０５に転送し、第２図に示すような補正電圧パルスを発生する。この補正電圧パルスは、抵抗とコンデンサを使った微分回路などによって作ることができる。尚、補正電圧パルスの大きさは、積分回路１０４及び１０６の抵抗とコンデンサの時定数によって最適に設定できる。例えば、１階調目のデータ１２５を積分して第２図の１２２に示すような波形が出力され、これをホールド信号１０３によって一走査線分のデータを積分後保持回路１０５に保持し、第２図の１２３に示すような波形をつくっている。また、２階調目のデータ１２６を１階調目と同様にして保持回路に２階調目の積分結果を保持し、１５階調目のデータ１２７を１階調目と同様にして保持回路に１５階調目の積分結果を保持する。この様に、１〜１５階調目までのデータの積分結果を保持回路に保持し、信号電極波形の１５階調目のＯＮパルスの立ち上がり（あるいは立ち下がり）のタイミングとほぼ同時に補正パルス開始信号１１７によってアナログスイッチ１１１をＯＮして、１５階調目の保持電圧を補正パルス発生回路に転送して微分回路などによって、第２図の２０１のＡ部に示すような保持電圧に応じた補正電圧パルスを発生し、続いて、１４階調目、１３階調目、１２階調目と順番に各階調ごとの補正パルス開始信号によって各アナログスイッチをＯＮして補正電圧パルスを発生し、信号電極波形の２階調目のＯＮパルスの立ち上がり（あるいは立ち下がり）のタイミングとほぼ同時に補正パルス開始信号１１４によってアナログスイッチ１０８をＯＮして、２階調目の保持電圧を補正パルス発生回路に転送して微分回路などによって、第２図の２０１のＢ部に示すような保持電圧に応じた補正電圧パルスを発生し、信号電極波形の１階調目のＯＮパルスの立ち上がり（あるいは立ち下がり）のタイミングとほぼ同時に補正パルス開始信号１１３によってアナログスイッチ１０７をＯＮして、１階調目の保持電圧を補正パルス発生回路に転送して微分回路などによって、第２図の２０１のＣ部に示すような保持電圧に応じた補正電圧パルスを発生する。このようにして、１５階調目から順番に１５、１４、１３、１２、〜３、２、１階調目へと順番に補正電圧パルスを作っている。この補正電圧波形１２４を第２図の２０１に示す。そして、補正電圧波形１２４をボルテージフォロワのオペアンプ１２１に入力して走査電極非選択電圧Ｖａをつくり、オペアンプ１１８によってＶ０とＶ５の電圧レベルの中間電位に対してＶａと対象となる走査電極非選択電圧Ｖｂを作っている。尚、走査電極非選択電圧Ｖａにおいて補正パルスの無いときの電圧レベルはＶ１となるようにしている。また、Ｖ０、Ｖ５間を抵抗分割してそれをボルテージフォロワのオペアンプ１１９、１２０に入力してＶ２とＶ３の電圧を作っている。これらの電圧は、（Ｖ５−Ｖ４）＝（Ｖ４−Ｖ３）＝（Ｖ２−Ｖ１）＝（Ｖ１−Ｖ０）である。走査電極非選択電圧Ｖａの電圧波形を第２図の２０１に、走査電極非選択波形Ｖｂの電圧波形を第２図の２０２に示す。そして、Ｖ０，Ｖａ、Ｖ２、Ｖ３、Ｖｂ、Ｖ５の液晶駆動電圧を、第３図の走査側ドライバ３０７と信号側ドライバ３０８にそれぞれ入力する。」（２頁左下欄７行〜３頁左下欄１４行）と記載されている。
　
(4) 対比・判断
ａ．特許法第２９条第１項第３号及び第２項について
・本件発明１について
　本件発明１と刊行物１記載の発明とを比較すると、本件発明１の構成要件である「液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部と、を備えた」構成が、刊行物１には記載も示唆もされておらず、この構成が容易に想到できたとは認められない。
　そして、本件発明１は、上記点により、特許異議意見書記載の「補償用電極に印加する駆動波形を生成するための回路構成を大幅に簡略化させることができる」（５頁９行〜１１行）という効果を奏するものである。
　よって、本件発明１は、申立人が提出した刊行物１に記載された発明ではなく、該発明に基づいて当業者が容易に発明できたものではないから、特許法第２９条第１項第３号及び第２項の規定に違反しているとはいえない。
　
・本件発明２について
　本件発明２と刊行物１及び２記載の発明とを比較すると、本件発明２の構成要件である「ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部と、を備えた」構成が、刊行物１及び２のいずれにも記載も示唆もされておらず、この構成が容易に想到できたとは認められない。
　そして、本件発明２は、上記点により、特許異議意見書記載の「補償用電極に印加する駆動波形を生成するための回路構成を大幅に簡略化させることができる」（５頁９行〜１１行）という効果を奏するものである。
　よって、本件発明２は、申立人が提出した刊行物１及び２に記載された発明に基づいて当業者が容易に発明できたものではないから、特許法第２９条第２項の規定に違反しているともいえない。
　
ｂ．特許法第３６条第５項について
　本件明細書の記載は、上記訂正により明確となったから、本件発明１，５，６の特許は、特許法第３６条第５項第２号に規定する要件を満たさない特許出願に対してされたものであるとすることができない。
　
４．むすび
　以上のとおりであるから、特許異議申立ての理由及び証拠によっては、本件発明１、２、５、６の特許を取り消すことはできない。
　また、他に本件発明１、２、５、６の特許を取り消すべき理由を発見しない。
　よって、結論のとおり決定する。
【異議決定日】
平成１４年９月３０日（２００２．９．３０）
【訂正の要旨】
・訂正事項ａ
　特許明細書の特許請求の範囲の
「【請求項１】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルに隣接して設けられ、補償用電極を有する補償用液晶パネルと、前記液晶表示パネルの電極に生じるスパイク波形を、前記補償用液晶表示パネルの補償用電極を駆動して相殺する補償用液晶パネル駆動部と、を備えたことを特徴とする液晶表示装置。
　【請求項２】　複数のコモン電極とセグメント電極とをマトリクス状に配列した液晶表示パネルに階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられたダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を形成して前記ダミー用セグメント電極を駆動するダミー液晶パネル駆動部と、を備えたことを特徴とする液晶表示装置。
　【請求項３】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしたことを特徴とする液晶表示装置。
　【請求項４】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしたことを特徴とする液晶表示装置。
　【請求項５】　前記補償用液晶パネル駆動部は、前記液晶表示パネル駆動部によるセグメント電極駆動により前記液晶表示パネルのコモン電極に生じるスパイク波形を、該補償用液晶表示パネル駆動部によるセグメント電極駆動により前記補償用液晶表示パネルの補償用コモン電極に生じるスパイク波形で相殺することを特徴とする請求項１、請求項３又は請求項４の何れかに記載の液晶表示装置。
　【請求項６】　前記補償用液晶パネルのコモン電極は、非選択電位を常時印加するようにしたことを特徴とする請求項１、請求項３、請求項４又は請求項５の何れかに記載の液晶表示装置。
　【請求項７】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたことを特徴とする液晶表示装置の駆動方法。
　【請求項８】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺することを特徴とする液晶表示装置の駆動方法。
　【請求項９】　液晶表示パネルを表示制御するセグメント駆動波形の立ち上がりと立ち下がり時に発生するスパイク波形と対応した補償用スパイク波形を同一タイミングで発生させて相殺することを特徴とする請求項７、請求項８又は請求項９の何れかに記載の液晶表示装置の駆動方法。」を、
「【請求項１】　複数のコモン電極とセグメント電極とをマトリクス状に配列した液晶表示パネルに多階調表示を行なう液晶表示装置において、前記液晶表示パネルのコモン電極とセグメント電極とを駆動して表示制御する液晶表示パネル駆動部と、前記液晶表示パネルに隣接して設けられ、該液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部と、を備えたことを特徴とする液晶表示装置。
　【請求項２】　複数のコモン電極とセグメント電極とをマトリクス状に配列した液晶表示パネルに多階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部と、を備えたことを特徴とする液晶表示装置。
　【請求項３】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしたことを特徴とする液晶表示装置。
　【請求項４】　複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしたことを特徴とする液晶表示装置。
　【請求項５】　前記補償用液晶パネル駆動部は、前記液晶表示パネル駆動部によるセグメント電極駆動により前記液晶表示パネルのコモン電極に生じるスパイク波形を、該補償用液晶パネル駆動部によるセグメント電極駆動により前記補償用液晶パネルの補償用コモン電極に生じるスパイク波形で相殺することを特徴とする請求項３又は請求項４の何れかに記載の液晶表示装置。
　【請求項６】　前記補償用液晶パネルのコモン電極は、非選択電位を常時印加するようにしたことを特徴とする請求項３、請求項４又は請求項５の何れかに記載の液晶表示装置。
　【請求項７】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたことを特徴とする液晶表示装置の駆動方法。
　【請求項８】　コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺することを特徴とする液晶表示装置の駆動方法。
　【請求項９】　液晶表示パネルを表示制御するセグメント駆動波形の立ち上がりと立ち下がり時に発生するスパイク波形と対応した補償用スパイク波形を同一タイミングで発生させて相殺することを特徴とする請求項７、請求項８又は請求項９の何れかに記載の液晶表示装置の駆動方法。」と訂正する。
・訂正事項ｂ
　特許明細書の発明の詳細な説明の段落番号【００１４】〜【００２２】欄の
「請求項１記載の発明は、上記目的達成のため、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルに隣接して設けられ、補償用電極を有する補償用液晶パネルと、前記液晶表示パネルの電極に生じるスパイク波形を、前記補償用液晶表示パネルの補償用電極を駆動して相殺する補償用液晶パネル駆動部とを備えている。
　【００１５】請求項２記載の発明は、複数のコモン電極とセグメント電極とをマトリクス状に配列した液晶表示パネルに階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられたダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を形成して前記ダミー用セグメント電極を駆動するダミー液晶パネル駆動部とを備えている。
　【００１６】請求項３記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしている。
　【００１７】請求項４記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしている。
　【００１８】前記補償用液晶パネル駆動部は、例えば請求項５に記載されているように．前記液晶表示パネル駆動部によるセグメント電極駆動により前記液晶表示パネルのコモン電極に生じるスパイク波形を、該補償用液晶表示パネル駆動部によるセグメント電極駆動により前記補償用液晶表示パネルの補償用コモン電極に生じるスパイク波形で相殺するようにしてもよい。
　【００１９】前記補償用液晶パネルのコモン電極は、例えば請求項６に記載されているように、非選択電位を常時印加するようにしてもよい。
　【００２０】請求項７記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたものであってもよい。
　【００２１】請求項８記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺するものであってもよい。
　【００２２】また、請求項９に記載されているように、液晶表示パネルを表示制御するセグメント駆動波形の立ち上がりと立ち下がり時に発生するスパイク波形と対応した補償用スパイク波形を同一タイミングで発生させて相殺するようにしてもよい。」を、
「請求項１記載の発明は、上記目的達成のため、複数のコモン電極とセグメント電極とをマトリクス状に配列した液晶表示パネルに多選曲調表示を行なう液晶表示装置において、前記液晶表示パネルのコモン電極とセグメント電極とを駆動して表示制御する液晶表示パネル駆動部と、前記液晶表示パネルに隣接して設けられ、該液晶表示パネルに表示可能な階調数と同数で且つ各階調別に設けられた複数の補償用電極を有する補償用液晶パネルと、前記液晶表示パネルの電極に生じるスパイク波形を、前記補償用液晶パネルの複数の補償用電極を各階調別に駆動して相殺する補償用液晶パネル駆動部とを備えている。
　【００１５】請求項２記載の発明は、複数のコモン電極とセグメント電極とをマトリクス状に配列した液晶表示パネルに多階調表示を行なう液晶表示装置において、該液晶表示パネルのコモン電極とセグメント電極とを駆動して表示制御する液晶表示パネル駆動部と、前記液晶表示パネルに隣接して設けられ、前記液晶表示パネルと共通のコモン電極を有するダミー液晶パネルと、該ダミー液晶パネルに設けられ、前記液晶表示パネルに表示可能な階調数と同数で且つ各階調別に設けられた複数のダミー用セグメント電極と、前記液晶表示パネルに表示される各階調別データの表示頻度に応じた電圧値を発生する電圧値発生部と、前記各階調別の電圧値に基づいて前記液晶表示パネルのセグメント電極を駆動する駆動波形と逆位相のダミー用セグメント電極駆動信号を各階調別に形成して前記複数のダミー用セグメント電極を駆動するダミー液晶パネル駆動部とを備えている。
　【００１６】請求項３記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、非選択時には前記液晶表示パネルのコモン電極と前記補償用液晶パネルの補償用コモン電極を短絡するようにしている。
　【００１７】請求項４記載の発明は、複数のコモン電極とセグメント電極とをマトリクス状に配列した液晶表示パネルに階調表示を行なう液晶表示装置において、前記液晶表示パネルのコモン電極とセグメント電極とを駆動して表示制御する液晶表示パネル駆動部と、前記液晶表示パネルのセグメント側に伸びて設けられ、補償用コモン電極が設けられた補償用液晶パネルと、前記液晶表示パネルに供給するセグメント波形を反転した波形を、前記補償用液晶パネルに与える補償用液晶パネル駆動部とを備え、前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしている。
　【００１８】前記補償用液晶パネル駆動部は、例えば請求項５に記載されているように、前記液晶表示パネル駆動部によるセグメント電極駆動により前記液晶表示パネルのコモン電極に生じるスパイク波形を、該補償用液晶パネル駆動部によるセグメント電極駆動により前記補償用液晶パネルの補償用コモン電極に生じるスパイク波形で相殺するようにしてもよい。
　【００１９】前記補償用液晶パネルのコモン電極は、例えば請求項６に記載されているように、非選択電位を常時印加するようにしてもよい。
　【００２０】請求項７記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置し、前記液晶表示パネル駆動部と前記補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしたものであってもよい。
　【００２１】請求項８記載の発明は、コモン電極駆動信号とセグメント電極駆動信号により液晶表示パネルを駆動する液晶表示パネル駆動部を備えた液晶表示装置の駆動方法において、前記液晶表示パネルのセグメント側に、補償用コモン電極を有する補償用液晶パネルを設置するとともに、前記液晶表示パネル駆動部と前記補償用液晶パネル駆動部に同一のデータを与え、前記液晶表示パネル駆動部により液晶表示パネルを駆動するとともに、前記補償用液晶パネル駆動部により補償用液晶パネルを駆動し、前記液晶表示パネルの駆動によりセグメント駆動波形の立ち上がりと立ち下がり時に液晶表示パネルのコモン電極に生じるスパイク波形を、前記補償用液晶パネルの駆動により補償用コモン電極に大きさが同じで向きが反対の補償用スパイク波形を生じさせ、非選択時に前記液晶表示パネルのコモン電極と前記補償用液晶パネルの補償用コモン電極を短絡して、前記スパイク波形を補償用スパイク波形で相殺するものであってもよい。
　【００２２】また、請求項９に記載されているように、液晶表示パネルを表示制御するセグメント駆動波形の立ち上がりと立ち下がり時に発生するスパイク波形と対応した補償用スパイク波形を同一タイミングで発生させて相殺するようにしてもよい。」と訂正する。
（５４）【発明の名称】
液晶表示装置及びその駆動方法
（５７）【特許請求の範囲】
　【請求項１】　複数のコモン電極とセグメント電極とをマトリクス状に配列した液晶表示パネルに
多階調表示
　前記液晶表示パネルのコモン電極とセグメント電極とを駆動して表示制御する液晶表示パネル駆動部と、
　前記液晶表示パネルに隣接して設けられ、
該液晶表示パネルに表示可能な階調数と同数で且つ各階調別に設けられた複数の
　前記液晶表示パネルの電極に生じるスパイク波形を、前記補償用液
晶パ
複数の
各階調別に
　を備えたことを特徴とする液晶表示装置。
　【請求項２】　複数のコモン電極とセグメント電極とをマトリクス状に配列した液晶表示パネルに
多階調表示
　該液晶表示パネルのコモン電極とセグメント電極とを駆動して表示制御する液晶表示パネル駆動部と、
　前記液晶表示パネルに隣接して設けられ、前記液晶表示パネルと共通のコモン電極を有するダミー液晶パネルと、
　該ダミー液晶パネルに設けられ
、前記液晶表示パネルに表示可能な階調数と同数で且つ各階調別に設けられた複数の
　前記液晶表示パネルに表示される各階調別データの表示頻度に応じた電圧値を発生する電圧値発生部と、
　前記各階調別の電圧値に基づいて前記液晶表示パネルのセグメント電極を駆動する駆動波形と逆位相のダミー用セグメント電極駆動信号を
各階調別に
複数の
　を備えたことを特徴とする液晶表示装置。
　【請求項３】　複数のコモン電極とセグメント電極とをマトリクス状に配列した液晶表示パネルに階調表示を行なう液晶表示装置において、
　前記液晶表示パネルのコモン電極とセグメント電極とを駆動して表示制御する液晶表示パネル駆動部と、
　前記液晶表示パネルのセグメント側に伸びて設けられ、補償用コモン電極が設けられた補償用液晶パネルと、
　前記液晶表示パネルに供給するセグメント波形を反転した波形を、前記補償用液晶パネルに与える補償用液晶パネル駆動部とを備え、
　非選択時には前記液晶表示パネルのコモン電極と前記補償用液晶パネルの補償用コモン電極を短絡するようにしたことを特徴とする液晶表示装置。
　【請求項４】　複数のコモン電極とセグメント電極とをマトリクス状に配列した液晶表示パネルに階調表示を行なう液晶表示装置において、
　前記液晶表示パネルのコモン電極とセグメント電極とを駆動して表示制御する液晶表示パネル駆動部と、
　前記液晶表示パネルのセグメント側に伸びて設けられ、補償用コモン電極が設けられた補償用液晶パネルと、
　前記液晶表示パネルに供給するセグメント波形を反転した波形を、前記補償用液晶パネルに与える補償用液晶パネル駆動部とを備え、
　前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしたことを特徴とする液晶表示装置。
　【請求項５】　前記補償用液晶パネル駆動部は、前記液晶表示パネル駆動部によるセグメント電極駆動により前記液晶表示パネルのコモン電極に生じるスパイク波形を、該補償用液
晶パ
晶パ
る請
　【請求項６】　前記補償用液晶パネルのコモン電極は、非選択電位を常時印加するようにしたことを特徴とす
る請
　【請求項７】　コモン電極駆動信号とセグメント電極駆動信号により液晶表示パネルを駆動する液晶表示パネル駆動部を備えた液晶表示装置の駆動方法において、
　前記液晶表示パネルのセグメント側に、補償用コモン電極を有する補償用液晶パネルを設置し、
　前記液晶表示パネル駆動部と前記補償用液晶パネル駆動部に同一のデータを与えて液晶表示パネル及び補償用液晶パネルを駆動し、
　非選択時には前記液晶表示パネルのコモン電極と前記補償用液晶パネルの補償用コモン電極を短絡させるようにしたことを特徴とする液晶表示装置の駆動方法。
　【請求項８】　コモン電極駆動信号とセグメント電極駆動信号により液晶表示パネルを駆動する液晶表示パネル駆動部を備えた液晶表示装置の駆動方法において、
　前記液晶表示パネルのセグメント側に、補償用コモン電極を有する補償用液晶パネルを設置するとともに、
　前記液晶表示パネル駆動部と前記補償用液晶パネル駆動部に同一のデータを与え、
　前記液晶表示パネル駆動部により液晶表示パネルを駆動するとともに、
　前記補償用液晶パネル駆動部により補償用液晶パネルを駆動し、
　前記液晶表示パネルの駆動によりセグメント駆動波形の立ち上がりと立ち下がり時に液晶表示パネルのコモン電極に生じるスパイク波形を、
　前記補償用液晶パネルの駆動により補償用コモン電極に大きさが同じで向きが反対の補償用スパイク波形を生じさせ、
　非選択時に前記液晶表示パネルのコモン電極と前記補償用液晶パネルの補償用コモン電極を短絡して、前記スパイク波形を補償用スパイク波形で相殺することを特徴とする液晶表示装置の駆動方法。
　【請求項９】　液晶表示パネルを表示制御するセグメント駆動波形の立ち上がりと立ち下がり時に発生するスパイク波形と対応した補償用スパイク波形を同一タイミングで発生させて相殺することを特徴とする請求項７又は請求項８記載の液晶表示装置の駆動方法。
【発明の詳細な説明】
　【０００１】
　【産業上の利用分野】
　本発明は、マトリクス型の液晶表示パネルを用いてパルス幅変調方式により階調表示を行なう液晶表示装置及びその駆動方法に関する。
　【０００２】
　【従来の技術】
　従来の液晶表示装置の液晶表示パネルの駆動には、例えば、電圧平均化法が用いられている。そして、中間調を表示する場合は、１コモン選択期間内のある期間、つまり表示データに対応した期間だけオン電圧を印加し、残り期間オフ電圧を印加するようなパルス幅変調方式（ＰＷＭ：ｐｕｌｓｅ　ｗｉｄｔｈ　ｍｏｄｕｌａｔｉｏｎ）が採用されている。
　【０００３】
　図１１は、従来の液晶表示パネルとその駆動装置の構成を示す概略図である。
　【０００４】
　図１１に示すように、従来の液晶表示装置の液晶表示パネル１１は、複数のコモン電極１２と複数のセグメント電極１３とが液晶層を挟んで対向配置され、マトリクス状に配列されており、そのセグメント電極１３を駆動する表示用セグメントドライバ１４とコモン電極１２を駆動するコモンドライバ１５とを備えている。
　【０００５】
　ここで、液晶表示パネル１１の所定の表示領域１１ａ、１１ｂ、１１ｃ、１１ｄには、白（３）から黒（０）までの４つの階調が表示されている場合を考える。
　【０００６】
　図１２は、上記図１１の表示を行なうセグメント駆動波形とこれによりコモン電極上に生じるスパイクを示す図である。図１２（ａ）のＣＫＦＳ信号は、セグメント極性反転信号を表し、図１２（ｂ）〜（ｅ）に示すｙ（ｉ）は、階調ｉ（ｉ＝０〜３）を出力するセグメント駆動波形を、また図１２（ｆ）〜（ｉ）のｇ（ｉ）は、上記各ｙ（ｉ）によって生じるコモン電極１２上に発生するスパイクをそれぞれ表す。
　【０００７】
　このスパイクは、セグメント電極の駆動信号波形の立ち上がり、立ち下がり時に他の駆動信号に影響を与えるスパイク状の波形であり、グリッチ（ｇｌｉｔｃｈ）とも称される。例えば、図１２（ｂ）に示すｙ（０）の（ア）の立ち下がり時には、図１２（ｆ）に示すｇ（０）の（イ）に示すひげを発生し、同様にｙ（０）の（ウ）の立ち上がり時には、ｇ（０）の（エ）に示すひげを発生する。このように、液晶表示パネルの表示制御を行なうセグメント駆動信号は、上記グリッチを発生させて、コモン電極等の駆動信号に影響を与える。
　【０００８】
　これと同様に、図１２（ｃ）、（ｄ）、（ｅ）のｙ（１）、ｙ（２）、ｙ（３）のセグメント駆動波形は、それぞれ図１２（ｇ）、（ｈ）、（ｉ）に示すグリッチを発生する。そして、このグリッチの大きさは、階調ｉを出力する出力ｐｉｎの数に応じた大きさに比例し、図１２の例では、ｇ（３）が最も大きく、ｇ（０）及びｇ（２）が小さく、ｇ（１）がその中間の大きさとなる。そして、図１２（ｊ）のｇΣは、上記各グリッチの総和を示すものである。
　【０００９】
　【発明が解決しようとする課題】
　上記したように、従来の液晶表示装置にあっては、図１２の（ｂ）〜（ｅ）に示す各階調別のｙ（０）〜ｙ（３）のセグメント駆動信号によって、図１２の（ｆ）〜（ｉ）に示すようなグリッチを発生し、これを原因としていわゆる糸引き現象というクロストークによる画質低下を招来するという問題があった。
　【００１０】
　すなわち、マトリックス型液晶表示パネルを駆動する液晶表示回路では、セグメント駆動波形が液晶回路を介してコモン駆動波形に影響を及ぼし、コモン駆動波形にセグメント波形の立ち上がり、立ち下がり、つまりデータに応じた電圧の切り換わりによりグリッチが発生する。このグリッチがいわゆる糸引きというクロストークとなり画質低下を招く原因となっていた。
　【００１１】
　さらに具体的に説明する。従来の単純マトリックス型液晶表示パネルに図１３のような表示を行なう場合を考える。図１３において、ａという階調を出し続けるセグメントドライバの電極群をＹａ、ａという階調を出して途中からｂという階調を出すセグメントドライバの電極群をＹｂとすると、図１３（Ａ）（Ｂ）部の輝度差の原因となるコモン電極Ｘｉの非選択部の波形は図１４で示される。ここで、図１４中のＣＫＦＳは、セグメント電極の中間調での立ち上がり、立ち下がりの向きを制御する信号であり、図中Ｖ１，Ｖ３は、Ｙａ及びＹｂの高レベル電位、低レベル電位である。
　【００１２】
　図１４に示すように、セグメント信号の切り換わりのタイミングでコモン電極にグリッチが生じ、このグリッチの影響で図１３（Ａ）（Ｂ）部に実効電圧の差が出て両者に輝度差が現れていた。
　【００１３】
　そこで本発明は、グリッチを原因とする糸引き現象を低減することができ、良質な画像が表示可能な液晶表示装置及びその駆動方法を提供することを目的とする。
　【００１４】
　【課題を解決するための手段】
　請求項１記載の発明は、上記目的達成のため、
　複数のコモン電極とセグメント電極とをマトリクス状に配列した液晶表示パネルに
多階調表示
　前記液晶表示パネルのコモン電極とセグメント電極とを駆動して表示制御する液晶表示パネル駆動部と、
　前記液晶表示パネルに隣接して設けられ、
該液晶表示パネルに表示可能な階調数と同数で且つ各階調別に設けられた複数の
　前記液晶表示パネルの電極に生じるスパイク波形を、前記補償用液
晶パ
複数の
各階調別に
　【００１５】
　請求項２記載の発明は、
　複数のコモン電極とセグメント電極とをマトリクス状に配列した液晶表示パネルに
多階調表示
　該液晶表示パネルのコモン電極とセグメント電極とを駆動して表示制御する液晶表示パネル駆動部と、
　前記液晶表示パネルに隣接して設けられ、前記液晶表示パネルと共通のコモン電極を有するダミー液晶パネルと、
　該ダミー液晶パネルに設けられ
、前記液晶表示パネルに表示可能な階調数と同数で且つ各階調別に設けられた複数の
　前記液晶表示パネルに表示される各階調別データの表示頻度に応じた電圧値を発生する電圧値発生部と、
　前記各階調別の電圧値に基づいて前記液晶表示パネルのセグメント電極を駆動する駆動波形と逆位相のダミー用セグメント電極駆動信号を
各階調別に
複数の
　【００１６】
　請求項３記載の発明は、
　複数のコモン電極とセグメント電極とをマトリクス状に配列した液晶表示パネルに階調表示を行なう液晶表示装置において、
　前記液晶表示パネルのコモン電極とセグメント電極とを駆動して表示制御する液晶表示パネル駆動部と、
　前記液晶表示パネルのセグメント側に伸びて設けられ、補償用コモン電極が設けられた補償用液晶パネルと、
　前記液晶表示パネルに供給するセグメント波形を反転した波形を、前記補償用液晶パネルに与える補償用液晶パネル駆動部とを備え、
　非選択時には前記液晶表示パネルのコモン電極と前記補償用液晶パネルの補償用コモン電極を短絡するようにしている。
　【００１７】
　請求項４記載の発明は、
　複数のコモン電極とセグメント電極とをマトリクス状に配列した液晶表示パネルに階調表示を行なう液晶表示装置において、
　前記液晶表示パネルのコモン電極とセグメント電極とを駆動して表示制御する液晶表示パネル駆動部と、
　前記液晶表示パネルのセグメント側に伸びて設けられ、補償用コモン電極が設けられた補償用液晶パネルと、
　前記液晶表示パネルに供給するセグメント波形を反転した波形を、前記補償用液晶パネルに与える補償用液晶パネル駆動部とを備え、
　前記液晶表示パネル駆動部と前記補償用液晶パネル駆動部に同一のデータを与えて駆動するとともに、非選択時には前記液晶表示パネルのコモン電極と前記補償用液晶パネルの補償用コモン電極を短絡するようにしている。
　【００１８】
　前記補償用液晶パネル駆動部は、例えば請求項５に記載されているように、前記液晶表示パネル駆動部によるセグメント電極駆動により前記液晶表示パネルのコモン電極に生じるスパイク波形を、該補償用液
晶パ
晶パ
　【００１９】
　前記補償用液晶パネルのコモン電極は、例えば請求項６に記載されているように、非選択電位を常時印加するようにしてもよい。
　【００２０】
　請求項７記載の発明は、
　コモン電極駆動信号とセグメント電極駆動信号により液晶表示パネルを駆動する液晶表示パネル駆動部を備えた液晶表示装置の駆動方法において、
　前記液晶表示パネルのセグメント側に、補償用コモン電極を有する補償用液晶パネルを設置し、
　前記液晶表示パネル駆動部と前記補償用液晶パネル駆動部に同一のデータを与えて液晶表示パネル及び補償用液晶パネルを駆動し、
　非選択時には前記液晶表示パネルのコモン電極と前記補償用液晶パネルの補償用コモン電極を短絡させるようにしたものであってもよい。
　【００２１】
　請求項８記載の発明は、
　コモン電極駆動信号とセグメント電極駆動信号により液晶表示パネルを駆動する液晶表示パネル駆動部を備えた液晶表示装置の駆動方法において、
　前記液晶表示パネルのセグメント側に、補償用コモン電極を有する補償用液晶パネルを設置するとともに、
　前記液晶表示パネル駆動部と前記補償用液晶パネル駆動部に同一のデータを与え、
　前記液晶表示パネル駆動部により液晶表示パネルを駆動するとともに、
　前記補償用液晶パネル駆動部により補償用液晶パネルを駆動し、
　前記液晶表示パネルの駆動によりセグメント駆動波形の立ち上がりと立ち下がり時に液晶表示パネルのコモン電極に生じるスパイク波形を、
　前記補償用液晶パネルの駆動により補償用コモン電極に大きさが同じで向きが反対の補償用スパイク波形を生じさせ、
　非選択時に前記液晶表示パネルのコモン電極と前記補償用液晶パネルの補償用コモン電極を短絡して、前記スパイク波形を補償用スパイク波形で相殺するものであってもよい。
　【００２２】
　また、請求項９に記載されているように、液晶表示パネルを表示制御するセグメント駆動波形の立ち上がりと立ち下がり時に発生するスパイク波形と対応した補償用スパイク波形を同一タイミングで発生させて相殺するようにしてもよい。
　【００２３】
　【作用】
　請求項１記載の発明では、
　液晶表示パネルに補償用電極を有する補償用液晶パネルが隣接して設けられ、液晶表示パネルの電極に生じるスパイク波形が、補償用液晶表示パネルの補償用電極を駆動することによって相殺される。
　【００２４】
　したがって、スパイク波形（グリッチ）が相殺されることによってグリッチを原因とする糸引き現象が低減され、良質な画像が表示可能になる。
　【００２５】
　請求項２記載の発明では、
　液晶表示パネルにコモン電極を共通とするダミー液晶パネルが隣接して設けられ、電圧値発生部で液晶表示パネルの各階調別の表示頻度に応じた電圧値を発生させて、ダミー液晶パネル駆動部でダミー用セグメント電極を各電圧値に基づいて、液晶表示パネルのセグメント駆動波形と逆位相で駆動される。
　【００２６】
　したがって、液晶表示パネルから発生するスパイク波形に対して相殺を行なう補償用スパイク波形は、電圧値を適宜変化させることによってスパイクの大きさを同じにするとともに、スパイクの向きを逆にして相殺するようにしたので、スパイクを原因とする糸引き現象の発生が防止され、良好な画質が得られようになった。
　【００２７】
　請求項３、４、５及び６記載の発明では、
　液晶表示パネルのセグメント側に、補償用コモン電極を有する補償用液晶パネルが設けられ、補償用液晶パネルには補償用液晶パネル駆動部によって液晶表示パネルに供給するセグメント波形を反転した波形が与えられ、また非選択時には液晶表示パネルのコモン電極と前記補償用液晶パネルの補償用コモン電極とが短絡される。また、液晶表示パネル駆動部と補償用液晶パネル駆動部は同一のデータにより駆動され、補償用液晶パネルのコモン電極は、非選択電位が常時印加される。
　【００２８】
　したがって、スパイク波形（グリッチ）が相殺されることによってグリッチを原因とする糸引き現象が低減され、良質な画像が表示可能になる。
　【００２９】
　請求項９記載の発明では、
　液晶表示パネルのセグメント駆動波形により発生するスパイクに対して、大きさが同じで向きが反対の補償用スパイクを発生させて相殺するようにしたため、スパイクを原因とする糸引き現象の発生が防止され、良好な画質を得ることができる。この場合、請求項１０のように相殺を行なうスパイクと補償用スパイクの発生タイミングを同一にすると、より確実に相殺が行なわれて、一層良好な画質が得られる。
　【００３０】
　請求項７及び８記載の発明では、
　まず、液晶表示パネル駆動部と前記補償用液晶パネル駆動部に同一のデータを与えて、液晶表示パネル及び補償用液晶パネルを駆動させる。
　【００３１】
　これにより、液晶表液晶表示パネルのコモン電極にスパイク波形が生じるが、補償用コモン電極にも大きさが同じで向きが反対の補償用スパイク波形が生じ、非選択時には液晶表示パネルのコモン電極と補償用液晶パネルの補償用コモン電極とが短絡される。
　【００３２】
　したがって、スパイク波形が補償用スパイク波形で相殺され、グリッチを原因とする糸引き現象が低減され、良質な画像が表示可能になる。
　【００３３】
　【実施例】
　以下、図１〜図１０を参照して実施例を説明する。
　【００３４】
第１実施例
　図１〜図７は、本発明の液晶表示装置の第１実施例を示す図であり、中間調をＰＷＭにより表示する液晶表示装置に適用した例である。
　【００３５】
　まず、構成を説明する。図１は、本実施例に係る液晶表示装置の液晶表示パネルとその周辺回路の構成を示す図、図２は、液晶表示装置の液晶表示パネルとその周辺回路の詳細な構成を示す図である。
　【００３６】
　図１において、本実施例の液晶表示装置２１は、液晶表示パネル２２と、その液晶表示パネル２２の液晶分子の配向を制御する表示用セグメントドライバ２３，２４とコモンドライバ２５，２６とを有する。上記表示用セグメントドライバ２３，２４は、ここでは０〜３で示す４階調が表示可能なものである。
　【００３７】
　本実施例の液晶表示装置の特徴的な構成は、液晶表示パネル２２が表示用パネル２２ａと、これに隣接して設けられ、表示用パネル２２ａで発生するスパイク（以下、グリッチともいう）と反対極性のグリッチを発生させる補償用セグメント電極が設けられたダミー液晶パネル２２ｂとを備えている点である。そして、上記ダミー液晶パネル２２ｂに設けられた補償用セグメント電極は、所定の駆動信号を印加する補償用セグメントドライバ２７で駆動制御される。さらに、表示用パネル２２ａとダミー液晶パネル２２ｂとは、共通のコモン電極が形成されているため、上記補償用セグメント電極から発生する補償用グリッチは、共通のコモン電極を介してグリッチ同士の相殺が行なわれる。
　【００３８】
　図２は、図１の詳細な構成を示す図である。
　【００３９】
　図２において、液晶表示装置２１は、液晶表示パネル２２、表示用セグメントドライバ２３，２４、コモンドライバ２５，２６、補償用セグメントドライバ２７、同期分離回路３１、Ａ／Ｄ変換器３２、コントローラ３３、インバータ３４、補償電圧発生回路３５、補償用セグメント電極（ダミー用セグメント電極）３６から構成されている。
　【００４０】
　液晶表示装置２１には、複合ビデオ信号が入力され、複合ビデオ信号は、同期分離回路３１で垂直及び水平同期信号φＶ、φＨとビデオ信号Ｖとに分離された後、ビデオ信号ＶはＡ／Ｄ変換器３２で所定のビット、ここでは２ビットにディジタル化された画像データに変換される。このディジタル化された画像データは、表示用セグメントドライバ２３，２４にそれぞれ入力されるとともに、後述する補償電圧発生回路３５に入力される。
　【００４１】
　また、３３は液晶表示装置の液晶表示パネル２２の全体のタイミングをコントロールするコントローラであり、上記した同期分離回路３１から垂直及び水平同期信号φＶ、φＨが供給される。そして、コントローラ３３は、これらの同期信号φＶ、φＨに同期してＡ／Ｄ変換器３２にサンプリングクロックφＳを、補償電圧発生回路３５には反転ＭＡＳＫ、ＣＫ、Ｒｅｓｅｔ、φＬの各信号を、表示用セグメントドライバ２３，２４及び補償用セグメントドライバ２７に対してはセグメント電極の極性反転信号である走査電極極性決定信号ＣＫＦＳを、表示用セグメントドライバ２３，２４に対してはその他のセグメントコントロール信号を、また、コモンドライバ２５，２６に対してはコモン電極制御信号をそれぞれ供給するものである。
　【００４２】
　コントローラ３３から出力されるＣＫＦＳ信号は、表示用セグメントドライバ２３，２４にはそのまま供給されるが、補償用セグメントドライバ２７に対しては、インバータ３４を介して位相を反転した信号が供給される。
　【００４３】
　補償電圧発生回路３５は、上記Ａ／Ｄ変換器３２でディジタル化された画像データとともに、上記した反転ＭＡＳＫ、ＣＫ、Ｒｅｓｅｔ、φＬの各信号が入力され、各階調レベル毎の表示頻度（表示面積）に比例した電圧値（±Ｖａ、±Ｖｂ、±Ｖｄ、±Ｖｅ）を出力するものである。
　【００４４】
　図３は、図２の補償電圧発生回路３５の詳細な回路図である。
　【００４５】
　図３において、補償電圧発生回路３５は、インバータ４１，４２、アンドゲート４３〜４６、カウンタ（０）４７〜カウンタ（３）５０、ラッチ回路５１〜５４、Ｄ／Ａ変換器５５〜５８、オペアンプ５９〜６６から構成される。
　【００４６】
　上記補償電圧発生回路３５には、Ａ／Ｄ変換器３２でディジタル化された画像信号の２ビットのディジタルデータｂ（１、０）が入力される。そして、アンドゲート４３には、ディジタルデータｂ１をインバータ４１で反転した反転信号、ディジタルデータｂ０をインバータ４１で反転した反転信号、及び反転ＭＡＳＫ信号とＣＫ信号のアンド出力が入力される。アンドゲート４４には、ディジタルデータｂ１のインバータ４１で反転された反転信号、ディジタルデータｂ０、及び反転ＭＡＳＫ信号とＣＫ信号のアンド出力が入力される。アンドゲート４５には、ディジタルデータｂ１、ディジタルデータｂ０のインバータ４２で反転された反転信号、及び反転ＭＡＳＫ信号とＣＫ信号のアンド出力が入力される。アンドゲート４６には、ディジタルデータｂ１、ディジタルデータｂ０、及び反転ＭＡＳＫ信号とＣＫ信号のアンド出力が入力される。そして、上記アンドゲート４３〜４６からの出力ＣＫ０〜ＣＫ３は、それぞれの階調データ毎のカウンタ（０）４７〜カウンタ（３）５０にそれぞれ入力されてカウントされ、そのカウント出力値は各ラッチ回路５１〜５４でラッチされる。
　【００４７】
　なお、上記カウンタ４７〜５０のカウント値は、コントローラ３３からのリセット信号によりリセットが行なわれる。また、上記ラッチ回路５１〜５４は、コントローラ３３からのφＬ信号によってラッチデータが一斉に出力され、Ｄ／Ａ変換器５５〜５８に入力される。このＤ／Ａ変換器５５〜５８には、それぞれ基準電圧値（Ｖｒｅｆ）が入力されており、ラッチされたディジタルデータをアナログデータに変換した後、そのアナログ値に応じた所定の電圧値がオペアンプ５９〜６６に出力され、正負の補償電圧である±Ｖａ、±Ｖｂ、±Ｖｃ、±Ｖｄを作成する。この補償電圧は、各階調毎の表示頻度（表示面積）に応じて可変する値であり、所定階調の表示面積が大きくなるにしたがって高くなる。これは、限られた数の補償用セグメント電極を使って相殺用の補償用グリッチを作成する必要から、補償用セグメント電極の駆動電圧値を変えることによって補償用グリッチの大きさを制御するためである。
　【００４８】
　図４は、図３で作成された補償電圧値に基づいて補償用セグメント電極を駆動する補償用セグメントドライバ２７の回路図である。
　【００４９】
　図４に示すように、補償用セグメントドライバ２７は、各階調毎の駆動波形を形成するバッファ７１〜７４により構成されている。そして、図３に示す補償電圧発生回路３５のオペアンプ５９〜６６から各バッファ７１〜７４に補償電圧±Ｖａ、±Ｖｂ、±Ｖｃ、±Ｖｄがそれぞれ供給されるとともに、これらの補償電圧に基づいて、補償用セグメント電極３６を駆動する駆動波形が形成される。この補償用セグメント電極３６は、本実施例では表示可能な階調数と同数で構成されている。すなわち、４階調の場合は４本、１６階調の場合は１６本となる。
　【００５０】
　本実施例における補償用セグメント電極の駆動波形は、図２に示すように液晶パネル２２ａの表示用セグメントドライバ２３，２４を駆動するＣＫＦＳ信号をインバータ３４で反転した信号に基づいて形成される。例えば、図５（ｂ）〜（ｅ）に示すように、ダミー液晶パネル２２ｂの補償用セグメント電極の駆動波形は、表示用パネル２２ａのセグメント電極の駆動波形（図１２参照）と比べると、同一タイミングで、位相が逆になっている。そして、補償用セグメント電極３６の駆動波形は、上記した図３の補償電圧発生回路３５によって各階調毎の表示面積に比例した補償電圧値に基づいて振れている。このため、ダミー液晶パネル２２ｂの補償用セグメント駆動波形の立ち上がり、立ち下がり時に発生する補償用グリッチは、表示用パネル２２ａを駆動する際に発生するグリッチと同じ大きさで、向きが逆となり、同一タイミングで発生させることができるので、確実にグリッチを相殺することができる。
　【００５１】
　次に、本実施例の動作を説明する。
　まず、図６に示すように、本実施例では、液晶表示パネル２２の表示用パネル２２ａの各表示領域２２ｃ、２２ｄ、２２ｅ、２２ｆにそれぞれ白から黒に至る３〜０で示される４つの階調が表示されている。このような表示を行なった場合のコモン電極３７の非選択部の波形には、前述したように図１２（ｆ）〜（ｉ）に示すグリッチと称されるスパイク状のひげが出る。このようなグリッチが発生すると、図６に示すコモン電極３７の左右方向での実効電圧に差が生じるため、いわゆる糸引き現象と呼ばれるクロストークによる輝度差が表れ、画質を劣化させる。
　【００５２】
　そこで、本実施例では、図２に示すように、ダミー液晶パネル２２ｂの補償用セグメント電極３６を所定の電圧値からなる交流駆動波形で駆動させて、表示用パネル２２ａで発生する図１２（ｊ）に示すグリッチ（ｇΣ）と大きさが同じで、向きが反対の図５（ｊ）に示す補償用グリッチ（ｇｃΣ）を発生させることによりグリッチを相殺するものである。
　【００５３】
　そして、上記補償用セグメント電極３６を駆動する駆動信号は、以下のようにして形成する。すなわち、図２に示すように、複合ビデオ信号を同期分離回路３１で垂直及び水平同期信号φＶ、φＨとビデオ信号Ｖとに分離した後、ビデオ信号ＶをＡ／Ｄ変換器３２で２ビットのディジタル画像データに変換する。このディジタル画像データは、表示用セグメントドライバ２３，２４にそれぞれ入力され、表示用パネル２２ａ上の表示用セグメント電極３６を駆動して液晶表示を行なうとともに、補償電圧発生回路３５に入力される。
　【００５４】
　補償電圧発生回路３５では、図３に示すように、入力されたディジタルデータｂ（０，１）のうち、実際に表示する画像データを０〜３までの各階調データに分離し、階調別にカウンタ４７〜５０でカウントする。
　【００５５】
　図７は、上記図３の各部の信号波形とそのタイミングの一例を示す図である。これを図７で見ると、０〜３の階調を示すディジタルデータｂ（０，１）は、各階調別に分離され、反転ＭＡＳＫ信号及びＣＫ信号が“Ｈ”の場合のみ、ＣＫ０〜ＣＫ３としてカウンタ４７〜カウンタ５０にそれぞれ出力されてカウントされる。このカウンタでのカウント値は、所定時間毎に発するＲｅｓｅｔ信号により更新されるが、更新前までのカウント値はラッチ回路５１〜５４でラッチされ、図７に示すφＬ信号によってラッチデータがＤ／Ａ変換器５５〜５８に出力される。Ｄ／Ａ変換器５５〜５８では、ディジタルデータをアナログデータに変換するとともに、基準電圧（Ｖｒｅｆ）に基づいた電圧値が出力され、この出力電圧をオペアンプ５９〜６６で受けて、各階調毎の表示切り換え回数に応じた正負の補償電圧±Ｖａ、±Ｖｂ、±Ｖｃ、±Ｖｄが作成される。
　【００５６】
　これらの補償電圧は、図２に示す補償用セグメントドライバ２７に入力される。この補償用セグメントドライバ２７では、図４に示す各階調毎のバッファ７１〜７４にそれぞれ±Ｖａ、±Ｖｂ、±Ｖｃ、±Ｖｄの各補償電圧が印加されるようになっている。そして、図２に示すコントローラ３３からのＣＫＦＳ信号の位相をインバータで反転させた信号に基づいて、各階調毎の補償電圧によって立ち上がり、立ち下がり部分の電圧変化分のみを各階調に対応する補償用セグメント電極３６に印加する。これにより、図２のダミー液晶パネル２２ｂは、表示用パネル２２ａを駆動制御する際に発生するグリッチ（図１２（ｊ）参照）に対して、大きさが同じで向きが反対の補償用グリッチ（図５（ｊ）参照）を同一タイミングで発生させることができる。このように発生させた補償用グリッチ（ｇｃΣ）は、コモン電極３７を介して表示用パネル２２ａ側に影響を与え、図１２（ｊ）のグリッチ（ｇΣ）と相殺される。
　【００５７】
　これによって、本実施例の液晶表示装置２１は、液晶表示パネルのコモン電極等の駆動波形に発生していたグリッチが現れなくなり、表示用パネル２２ａでは、糸引き現象のない良好な画像が得られるようになった。
　【００５８】
　以上説明したように、本実施例の液晶表示装置２１は、液晶表示パネル２２ａに隣接して設けられ、コモン電極３７が共通なダミー液晶パネル２２ｂ、表示用セグメントドライバ２３，２４、コモンドライバ２５，２６、補償用セグメント電極３６を各電圧値に基づいて、液晶表示パネル２２ａのセグメント駆動波形と逆位相で駆動する補償用セグメントドライバ２７、同期分離回路３１、Ａ／Ｄ変換器３２、コントローラ３３、インバータ３４、液晶表示パネル２２ａの各階調別の表示頻度に応じた電圧値を発生する補償電圧発生回路３５、ダミー液晶パネル２２ｂに設けられた補償用セグメント電極３６を備え、補償電圧発生回路３５により液晶表示パネル２２ａの各階調別の表示頻度に応じた電圧値を発生させ、発生した各電圧値に基づいて補償用セグメントドライバ２７で補償用セグメント電極３６を、液晶表示パネル２２ａのセグメント駆動波形と逆位相で駆動するようにしているので、表示用パネル２２ａとダミー液晶パネル２２ｂとには、共通のコモン電極３７が形成されているため液晶表示パネル２２ａから発生するグリッチが、ダミー液晶パネル２２ｂから発生する補償用グリッチによって相殺され、グリッチを原因とする糸引き現象の発生が防止でき、良好な画質を得ることができる。
　【００５９】
　なお、本実施例では、階調データが２ｂｉｔの場合を例にして説明しているが、これに限定されるものでないのはいうまでもなく、生成する階調基準信号の分周精度を調整することにより、所望の階調基準信号を生成することができる。
　【００６０】
　また、本実施例では、ダミー液晶パネル側に設けられた補償用セグメントドライバの出力ｐｉｎ数と、これに対応する補償用セグメント電極数とを階調数ｋ（本実施例では、４階調なのでｋ＝４）と同数としたが、ｋの整数倍の出力ｐｉｎ数及び補償用セグメント電極数とすることもできる。
　【００６１】
　さらに、本実施例では、図３及び図４に示すように、Ｄ／Ａ変換器５５〜５８以降も階調数と同じ数（ｋ）の系統で別回路構成しているが、回路構成を簡略化するため、時分割処理を行なうことによって、１系統で補償グリッチを発生させ、グリッチ同士を相殺することができる。これにより、階調数が増えても回路構成が１系統で済むため、装置を小型化することができる。
　【００６２】
　また、上記図３のＤ／Ａ変換器５５〜５８に入力される基準電圧値（Ｖｒｅｆ）は、表示用パネル２２ａに発生するグリッチｇΣの大きさや波形に応じて適宜決定するようにしてもよい。
　【００６３】
　上記第１実施例では、液晶表示パネル２２ａに隣接して、コモン電極３７が共通なダミー液晶パネル２２ｂを設け、このダミー液晶パネル２２ｂに設けた補償用セグメント電極３６によってグリッチを打ち消すようにしたものであるが、このダミー液晶パネル及び補償用電極を、縦方向（セグメント方向）に伸ばし、ここにコモンのダミー液晶パネル及び補償用電極を設けるようにしてもよく、以下これを第２実施例として説明する。
　【００６４】
第２実施例
　図８〜図１０は、本発明の液晶表示装置の第２実施例を示す図であり、中間調をＰＷＭにより表示する液晶表示装置に適用した例である。本実施例の説明にあたり、前記第１実施例と同一構成部分には同一符号を付して重複部分の説明を省略する。
　【００６５】
　まず、構成を説明する。図８は、本実施例に係る液晶表示装置の液晶表示パネルとその周辺回路の構成を示す図、図９は、セグメントドライバの回路図である。
　【００６６】
　図８において、液晶表示装置８１は、同期分離回路３１、Ａ／Ｄ変換器３２、液晶表示パネル８２、表示用セグメントドライバ８３、補償用セグメントドライバ８４、コモンドライバ８５、補償用コモン電極（ダミー用コモン電極）８６、液晶電源発生回路８７、コントローラ８８、インバータ８９から構成されている。
　【００６７】
　このうち、液晶表示装置８１の液晶表示パネル部は、液晶表示パネル８２と、その液晶表示パネル８２の液晶分子の配向を制御する表示用セグメントドライバ８３、補償用セグメントドライバ８４、コモンドライバ８５とを有する。
　【００６８】
　本実施例の液晶表示装置の特徴的な構成は、液晶表示パネル８２が表示用パネル８２ａと、これに隣接してセグメント側に伸びて設けられ、補償用コモン電極が設けられた補償用液晶パネル８２ｂとを備えるとともに、この補償用液晶パネル８２ｂに、表示用パネル８２ａに供給するセグメント波形を反転した波形を与える補償用セグメントドライバ８４を設け、非選択時に表示用パネル８２ａのコモン電極と補償用液晶パネル８２ｂの補償用コモン電極をショートさせる点である。これによりセグメント電極からのグリッチの発生が防止される。
　【００６９】
　すなわち、液晶表示パネル８２は、実際に表示に用いる部分（表示用パネル８２ａ）と、補償用の部分（補償用液晶パネル８２ｂ）に分けた上下分割構成とし、本実施例では分割部分の下側を補償用液晶パネル８２ｂとしている。そして、表示用パネル８２ａのセグメント電極部に表示用セグメントドライバ８３を接続するとともに、補償用液晶パネル８２ｂの補償用セグメント電極部にも上記表示用と同様の補償用セグメントドライバ８４を接続し、同じデータで駆動する。但し、中間調の立ち上がり、立ち下がりの向きを制御する走査電極極性決定信号ＣＫＦＳはインバータ８９を介して逆特性にしておく。また、補償用液晶パネル８２ｂの補償用コモン電極８６には、非選択電位Ｖ２を常時印加するようにする。
　【００７０】
　ここで、表示用セグメントドライバ８３に接続される表示用パネル８２ａのセグメント電極Ｙ１，Ｙ２，…，Ｙｍは、補償用セグメントドライバ８４に接続される補償用液晶パネル８２ｂの補償用セグメント電極ＹＣ１，ＹＣ２，…，ＹＣｍにそれぞれ対応するものとする。補償用セグメント電極ＹＣ１，ＹＣ２，…，ＹＣｍに与える電位として最も単純な方法は、表示用パネル８２ａのセグメント電極Ｙ１，Ｙ２，…，Ｙｍに与える電位を反転させた信号を供給すればよい。しかし、表示用のコモン電極Ｘ１，Ｘ２，…，Ｘｎに対し補償用コモン電極ＸＣ（補償用コモン電極８６）の本数が少ないので単純な反転信号では逆方向のセグメント波形を完全に打ち消すことは困難である。そこで本実施例では補償用セグメント電極ＹＣ１，ＹＣ２，…，ＹＣｍに与える電圧をセグメント電極Ｙ１，Ｙ２，…，Ｙｍに与える電圧より大きくすることによって調整している。この調整については図１０により後述する。
　【００７１】
　液晶表示装置８１には、複合ビデオ信号が入力され、複合ビデオ信号は、同期分離回路３１で垂直及び水平同期信号φＶ、φＨとビデオ信号Ｖとに分離された後、ビデオ信号ＶはＡ／Ｄ変換器３２で所定のビット、ここでは２ビットにディジタル化された画像データに変換される。このディジタル化された画像データは、表示用セグメントドライバ８３と、補償用セグメントドライバ８４にそれぞれ入力される。
　【００７２】
　また、８８は液晶表示装置の液晶表示パネル８２の全体のタイミングをコントロールするコントローラであり、上記した同期分離回路３１から垂直及び水平同期信号φＶ、φＨが供給される。そして、コントローラ８８は、これらの同期信号φＶ、φＨに同期してＡ／Ｄ変換器３２にサンプリングクロックφＳを、表示用セグメントドライバ８３及び補償用セグメントドライバ８４に対しては中間調の立ち上がり、立ち下がりの向きを制御する走査電極極性決定信号ＣＫＦＳ、及びその他のセグメントコントロール信号を、また、コモンドライバ８５に対してはコモン電極制御信号をそれぞれ供給するものである。また、コントローラ８８から出力されるＣＫＦＳ信号は、表示用セグメントドライバ８３にはそのまま供給されるが、補償用セグメントドライバ８４に対しては、インバータ８９を介して位相を反転した信号が供給される。
　【００７３】
　液晶電源発生回路８７は、コモンドライバ８５に供給する電圧値Ｖ０，Ｖ２，Ｖ４、表示用セグメントドライバ８３に供給する電圧値Ｖ１，Ｖ３、補償用セグメントドライバ８４に供給する電圧値Ｖ１Ｃ，Ｖ３Ｃを発生し、各ドライバはこれら電圧値を基に液晶表示パネル８２の電極に所定の電位を出力する。コモンドライバ８５に供給する電圧値Ｖ０，Ｖ２のうちＶ２は非選択電位である。
　【００７４】
　図９は、コントローラ８８からの走査電極極性決定信号ＣＫＦＳ、転送クロックＣＫＮ等により表示用パネル８２ａのコモン電極と補償用液晶パネル８２ｂの補償用コモン電極を駆動するコモンドライバ８５の回路図である。
　【００７５】
　図９において、コモンドライバ８５は、インバータ９１、シフトレジスタ９２，９３、レベルシフタ９４〜９７、バッファ９９〜１０１、アナログスイッチ１０２〜１０７から構成される。
　【００７６】
　シフトレジスタ９２，９３は、入力信号を転送クロックＣＫＮでラッチし、次段のシフトレジスタ及びレベルシフタに順次シフト出力する。
　【００７７】
　レベルシフタ９４〜９７は、入力された信号を所定の電位レベルまで引き上げる。
　【００７８】
　バッファ９８〜１０１は、レベルシフタ９４〜９７からの入力を、液晶電源発生回路８７から供給された高レベル選択電位Ｖ０及び低レベル選択電位Ｖ４に基づいて出力する。
　【００７９】
　アナログスイッチ１０２〜１０７は、制御信号として高レベル選択電位Ｖ０が入力されるとＯＮ、低レベル選択電位Ｖ４が入力されるとＯＦＦして供給された選択電位Ｖ０，Ｖ４または非選択電位Ｖ２を表示用のコモン電極Ｘ１，Ｘ２，…，Ｘｎに出力する。
　【００８０】
　また、補償用コモン電極ＸＣには、非選択電位Ｖ２を常時かけておく。
　【００８１】
　次に、本実施例の動作を説明する。
　【００８２】
　本実施例では、液晶表示パネル８２は、実際に表示に用いる表示用パネル８２ａ、補償用の補償用液晶パネル８２ｂに分けた上下分割構成とし、補償用液晶パネル８２ｂには表示用パネル８２ａに供給するセグメント波形を反転した波形を与える補償用セグメントドライバ８４を設け、非選択時に表示用パネル８２ａのコモン電極と補償用液晶パネル８２ｂの補償用コモン電極を短絡（換言すれば、非選択電位Ｖ２を印加する）させる。これによりセグメント電極からのグリッチの発生が防止される。
　【００８３】
　このようにするため、上記表示用のコモン電極Ｘ１，Ｘ２，…，Ｘｎ及び補償用コモン電極ＸＣに供給するコモン電極信号を、以下のようにして形成する。すなわち、図９に示すように、入力信号はインバータ９１を介してレベルシフタ９４に入力されるとともに、シフトレジスタ９２でラッチされ、次段のシフトレジスタ９３及びレベルシフタ９５に順次シフト出力される。レベルシフタ９４〜９７は、入力された信号を所定の電位レベルまで引き上げてバッファ９８〜１０１に出力する。
　【００８４】
　バッファ９８〜１０１では、レベルシフタ９４〜９７からの入力を、液晶電源発生回路８７から供給された高レベル選択電位Ｖ０及び低レベル選択電位Ｖ４に基づいて出力する。この場合、バッファ９８〜１０１に供給する選択電圧Ｖ０，Ｖ４及び非選択電圧Ｖ２は、中間調の立ち上がり、立ち下がりの向きを制御するＣＫＦＳ信号により交流駆動により反転する。したがって、ある時のフレームでの選択電圧がＶ０であれば、次のフレームでの選択電圧がＶ４となる。例えば、あるフレームでＣＫＦＳ信号のスタート信号が入力されると、レベルシフタ９４で所定の電位までレベルシフトされてバッファ９８に出力され、また、バッファ９８には選択電圧Ｖ０，Ｖ４が供給されており、この電圧レベルで入力信号を反転出力する。ここで、ＣＫＦＳ信号は交流駆動で反転し、あるフレームでの選択電圧は高レベル選択電位Ｖ０、次のフレームでは低レベル選択電位Ｖ４になる。
　【００８５】
　アナログスイッチ１０２，１０４，１０６は、バッファ９９〜１０１の出力によりＯＮ／ＯＦＦし、アナログスイッチ１０２，１０４，１０６は、制御信号として高レベル選択電位Ｖ０が入力されるとＯＮ、低レベル選択電位Ｖ４が入力されるとＯＦＦする。アナログスイッチ１０２，１０４，１０６がＯＮすると、選択電圧のＶ０かＶ４がコモン電極Ｘ１，Ｘ２，…，Ｘｎに出力され、アナログスイッチ１０２，１０４，１０６がＯＦＦしたときはアナログスイッチ１０３，１０５，１０７がＯＮして非選択電位Ｖ２（すなわち、補償用コモン電極ＸＣに常時印加される電位）をコモン電極Ｘ１，Ｘ２，…，Ｘｎに出力する。
　【００８６】
　このように、補償用の補償用液晶パネル８２ｂにある補償用コモン電極ＸＣには、非選択電位Ｖ２を常時印加しておくとともに選択されていないコモン電極Ｘｉと補償用コモン電極ＸＣとを短絡するようにする。
　【００８７】
　図１０のタイミングチャートを参照しながら各部の動作をさらに詳細に説明する。図１０は前記図１３と同様な表示を行なったときのコモン電極Ｘｉ（ｉ＝１〜ｎ）の非選択部の波形のタイミングを示したものである。
　【００８８】
　図１０（ア）（イ）（ウ）は、補償用液晶パネル８２ｂの補償用コモン電極ＸＣを考慮しない場合のセグメントドライバの電極群Ｙａ、Ｙｂとコモン電極Ｘｉの波形を示すものであり、前記図１４と同様である。つまり、表示用パネル８２ａのコモン電極Ｘｉには図１０（ア）（イ）のみの影響の場合、コモン電極Ｘｉには図１０（ウ）に示すようにグリッチが出ようとし、また同時に補償用液晶パネル８２ｂの補償用コモン電極ＸＣには補償用セグメントドライバ８４による図１０（エ）（オ）のみの影響の場合、補償用コモン電極ＸＣには図１０（カ）に示すように出ようとするが、コモン電極Ｘｉの非選択時には図９のアナログスイッチ１０３，１０５，１０７を通してコモン電極Ｘｉは補償用コモン電極ＸＣと短絡され、図１０（ウ）のグリッチと図１０（カ）のグリッチは互いに相殺するように働くので、実際のコモン電極Ｘｉ，ＸＣは図１０（キ）のようになる。図１０（キ）に示すようにグリッチは殆ど相殺されるので糸引きのない良好な表示を得ることができる。
　【００８９】
　ところで、通常の走査で非選択状態にある表示用パネル８２ａのコモン電極Ｘｉは（ｎ−１）本あり（補償用コモン電極ＸＣは１本）、表示用パネル８２ａ部の容量分も補償用液晶パネル８２ｂ側に比べて大きいので、本実施例では補償用液晶パネル８２ｂ側の補償用セグメントドライバ８４の駆動電圧Ｖ１Ｃ，Ｖ３Ｃを表示用パネル８２ａ部側の表示用セグメントドライバ８３の駆動電圧Ｖ１，Ｖ３よりも大きくすることによって図１０（ウ）のグリッチと図１０（カ）のグリッチ同士を互いに相殺できるように調整している。
　【００９０】
　例えば、補償用コモン電極ＸＣがｍ本で表示用パネル８２ａのコモン電極Ｘｉのデューティーが１／ｎの場合には、図８に示す補償用セグメントドライバ８４に供給する電圧値Ｖ１Ｃ，Ｖ３Ｃは、表示用セグメントドライバ８３に供給する電圧値Ｖ１，Ｖ３に対し式（１）式（２）に示すような値に設定することができる。
　【００９１】
　　Ｖ１Ｃ→（（ｎ−１）／ｍ）・Ｖ１　　　　　　　　　　　　　…式（１）
　　Ｖ３Ｃ→（（ｎ−１）／ｍ）・Ｖ３　　　　　　　　　　　　　…式（２）
　以上説明したように、本実施例の液晶表示装置８１は、表示用パネル８２ａに隣接してセグメント側に伸びて設けられ、補償用コモン電極８６が設けられた補償用液晶パネル８２ｂ、表示用セグメントドライバ８３、補償用セグメントドライバ８４、コモンドライバ８５、液晶電源発生回路８７、コントローラ８８、インバータ８９等を備え、補償用液晶パネル８２ｂに、表示用パネル８２ａに供給するセグメント波形を反転した波形を与えとともに、非選択時に表示用パネル８２ａのコモン電極と補償用液晶パネル８２ｂの補償用コモン電極を短絡するようにしているので、液晶表示パネル８２ａから発生するグリッチが、補償用液晶パネル２２ｂから発生する補償用グリッチによって相殺され、グリッチを原因とする糸引き現象の発生が防止でき、良好な画質を得ることができる。
　【００９２】
　なお、本実施例では、図１０（カ）に示す補償用グリッチの大きさを制御するために上記式（１）式（２）に示すように補償用セグメントドライバ８４に供給する電圧値Ｖ１Ｃ，Ｖ３Ｃを調整しているが、コモン電極に生じるグリッチを相殺できるものであれば補償用グリッチの大きさはどのような方法で変えてもよく、例えば補償用液晶パネル２２ｂの電極の本数、面積、材質等を変える若しくは封入する液晶を別のものにすることによって誘電率を変えるようにしてもよい。
　【００９３】
　また、上記各実施例では、液晶表示装置に中間調をＰＷＭにより表示する液晶表示装置に適用した例であるが、複数のコモン電極とセグメント電極とをマトリクス状に配列し、階調表示を行なう液晶表示装置及びその駆動方法であれば、同様に適用することができることは言うまでもない。
　【００９４】
　さらに、上記各実施例において液晶表示装置を構成する回路やマトリクス、ゲート数、その種類などは前述した実施例に限られないことは言うまでもない。
　【００９５】
　【発明の効果】
　請求項１記載の発明によれば、
　液晶表示パネルに隣接して設けられ、補償用電極を有する補償用液晶パネルと、液晶表示パネルの電極に生じるスパイク波形を、前記補償用液晶表示パネルの補償用電極を駆動して相殺する補償用液晶パネル駆動部とを備えているので、スパイク波形（グリッチ）が相殺されることによってグリッチを原因とする糸引き現象が低減でき、液晶パネルに良質な画像を表示することができる。
　【００９６】
　請求項２記載の発明によれば、
　液晶表示パネルに隣接して設けられ、コモン電極が共通なダミー液晶パネルの補償用セグメント電極を、液晶表示パネルで表示する各階調別の表示頻度に応じた補償電圧値に基づいて、各階調別の駆動信号波形と位相が逆で、同一タイミングの補償用セグメント駆動信号で駆動させているので、液晶表示パネルから発生するスパイク波形に対して、ダミー液晶パネルから発生する補償用スパイク波形が相殺され、スパイクを原因とする糸引き現象の発生が防止され、良好な画質を得ることができる。
　【００９７】
　請求項３、４、５及び６記載の発明によれば、
　液晶表示パネルのセグメント側に伸びて設けられ、補償用コモン電極が設けられた補償用液晶パネルと、液晶表示パネルに供給するセグメント波形を反転した波形を、補償用液晶パネルに与える補償用液晶パネル駆動部とを備え、非選択時には液晶表示パネルのコモン電極と補償用液晶パネルの補償用コモン電極を短絡するようにししているので、グリッチが相殺されることによってグリッチを原因とする糸引き現象を低減でき、良質な画像を表示することができる。
　【００９８】
　請求項９記載の発明によれば、
　液晶表示パネルのセグメント駆動波形により発生するスパイクに対して、大きさが同じで向きが反対の補償用スパイクを発生させて相殺するようにしているので、スパイクを原因とする糸引き現象の発生が確実に防止され、一層良好な画質を得ることができる。
　【００９９】
　請求項７及び８記載の発明によれば、
　液晶表示パネル駆動部と補償用液晶パネル駆動部に同一のデータを与えて液晶表示パネル及び補償用液晶パネルを駆動し、非選択時には前記液晶表示パネルのコモン電極と前記補償用液晶パネルの補償用コモン電極を短絡させるようにしているので、スパイク波形が補償用スパイク波形で相殺され、グリッチを原因とする糸引き現象が低減され、良質な画像が表示可能になる。
【図面の簡単な説明】
　【図１】
　本発明に係る液晶表示装置の第１実施例の液晶表示パネルとその周辺回路の構成を示す図である。
　【図２】
　同実施例の液晶表示装置の液晶表示パネルとその周辺回路の詳細な構成を示す図である。
　【図３】
　同実施例の液晶表示装置の補償電圧発生回路の詳細な回路図である。
　【図４】
　同実施例の液晶表示装置の補償用セグメントドライバの回路図である。
　【図５】
　同実施例の補償用セグメント電極の駆動波形と補償グリッチの波形を示す図である。
　【図６】
　同実施例の液晶表示装置の液晶表示パネルの表示画像の一例を示す図である。
　【図７】
　同実施例の液晶表示装置の各部の信号波形とそのタイミングの一例を示すタイミングチャートである。
　【図８】
　本発明に係る液晶表示装置の第２実施例の液晶表示パネルとその周辺回路の構成を示す図である。
　【図９】
　同実施例の液晶表示装置のコモンドライバの回路図である。
　【図１０】
　同実施例の液晶表示装置の各部の信号波形とそのタイミングの一例を示すタイミングチャートである。
　【図１１】
　従来の液晶表示パネルとその駆動装置の構成を示す概略図である。
　【図１２】
　従来の液晶表示装置のセグメント駆動波形と
　これによって発生するグリッチ波形図である。
　【図１３】
　従来の液晶表示パネルを示す概略図である。
　【図１４】
　従来の液晶表示装置のセグメント駆動波形とこれによって発生するグリッチ波形図である。
　【符号の説明】
　２１，８１　液晶表示装置
　２２，８２　液晶表示パネル
　２２ａ，８２ａ　表示用パネル
　２２ｂ，８２ｂ　ダミー液晶パネル
　２２ｃ〜２２ｆ　表示領域
　２３，２４，８３　表示用セグメントドライバ
　２５，２６，８５　コモンドライバ
　２７，８４　補償用セグメントドライバ
　３３，８８　コントローラ
　３４，８９，９１　インバータ
　３５　補償電圧発生回路
　３６　補償用セグメント電極（ダミー用セグメント電極）
　３７　コモン電極
　８６　補償用コモン電極（ダミー用コモン電極）
　８７　液晶電源発生回路
　９２，９３　シフトレジスタ
　９４〜９７　レベルシフタ
　９９〜１０１　バッファ
　１０２〜１０７　アナログスイッチ